(57)【要約】      （修正有）【課題】帯紐の端部同士を結ぶことなく、簡単に帯紐の端部同士を結合することを可能とし、着用者において面倒な作業を伴うことなく、帯紐を帯の上面周部に簡単に着用できる帯留めを提供する。【解決手段】帯留め１は帯の上面を周回し、人の胴部前方で右側から周回する帯紐の端部と、左側から周回する帯紐の端部にそれぞれ結合するものとされる。帯留め１は、上側片４、下側片５、右側連結片６、左側連結片７とにより基枠体８を構成し、右側連結片６に対向配置する状態で右側スライド片１１を、左側連結片７に対向配置する状態で左側スライド片１２を、それぞれ備える。【選択図】図３
0003165338.tif 000002
【実用新案登録請求の範囲】
【請求項１】
着物を着用する人の胴部を周回する帯の上面を周回し、人の胴部においてその端部同士を結合する帯紐に取着される帯留めにおいて、
上記帯紐は帯の上面を周回し、着用する人の胴部前方でその端部同士を結合するものとされ、人の胴部の右側から周回する帯紐の端部、並びに人の胴部の左側から周回する帯紐の端部のそれぞれに対し、上側に平行配置される上側片と、下側に平行配置される下側片を備え、上側片と下側片は人の胴部の右側の端部間を上下に連結する右側連結片と、人の胴部の左側の端部間を上下に連結する左側連結片とでそれぞれ連結され、上側片、下側片、右側連結片、左側連結片とにより構成される基枠体と、
平行配置される基枠体の上側片と下側片における中心長さ位置よりも人の胴部右側に配設され、右側連結片に対向配置する状態で該右側連結片に対して近接または離隔可能に上側片にその上部を、下側片にその下部を支持する右側スライド片と、
平行配置される基枠体の上側片と下側片における中心長さ位置よりも人の胴部左側に配設され、左側連結片に対向配置する状態で該左側連結片に対して近接または離隔可能に上側片にその上部を、下側片にその下部を支持する左側スライド片と、
を備え、人の胴部の右側から周回する帯紐の端部を該基枠体の右側スライド片に掛け回し、さらに右側スライド片と右側連結片の間に挿通して、該挿通された帯紐の端部を基枠体の右側スライド片と右側連結片の間で右側スライド片を右側連結片に近接させるようにして挟み、結合可能とし、
また人の胴部の左側から周回する帯紐の端部を該基枠体の左側スライド片に掛け回し、さらに左側スライド片と左側連結片の間に挿通して、該挿通された帯紐の端部を基枠体の左側スライド片と左側連結片の間で左側スライド片を左側スライド片に近接させるようにして挟み、結合可能としてなる帯留め。
【請求項２】
右側スライド片は、その上部を上側片の下面に形成される長溝に沿ってスライド可能に支持され、またその下部を下側片の上面に形成される長溝に沿ってスライド可能に支持され、一方左側スライド片は、その上部を上側片の下面に形成される長溝に沿ってスライド可能に支持され、またその下部を下側片の上面に形成される長溝に沿ってスライド可能に支持されるものである請求項１に記載の帯留め。
【請求項３】
基枠体には装飾体が取着可能とされる請求項１に記載の帯留め。
【請求項４】
右側スライド片は右側連結片に常時近接する方向に付勢されるよう上側片の下面に形成される右側スライド片の上部を支持する対応する長溝内には、右側スライド片の上部を右側連結片に近接させる方向に付勢させるスプリングを、下側片の上面に形成される右側スライド片の下部を支持する対応する長溝内には、右側スライド片の下部を右側連結片に近接させる方向に付勢させるスプリングを備えることとし、また左側スライド片は左側連結片に常時近接する方向に付勢されるよう上側片の下面に形成される左側スライド片の上部を支持する対応する長溝内には、左側スライド片の上部を左側連結片に近接する方向に付勢させるスプリングを、下側片の上面に形成される左側スライド片の下部を支持する対応する長溝内には、左側スライド片の下部を左側連結片に近接する方向に付勢させるスプリングを備えることとしてなる請求項２に記載の帯留め。
【考案の詳細な説明】
【技術分野】
【０００１】
本考案は、着物を着用する際に使用する帯留めに関する。
【背景技術】
【０００２】
着物を着用するに際しては、着用する人の胴部の上面を周回する状態で帯が取付けられる。さらに胴部に取付けられた帯の上面には帯紐が周回され、周回された帯紐の端部同士は相互に結び付けられるようにして結合される。こうして帯の上面を周回する帯紐には、通常着用する胴部の前面中心位置に帯留めが取着される。
帯留めは、着物の帯前面部においての装飾機能を有し、いわば前面部中心のワンポイントとなるデザイン性を有するところである。従来帯留めには様々なものがあり、下記特許文献１に示すように帯紐に予め外挿させるタイプのものや、下記特許文献２に示すように帯の胴部に周回され、端部同士を結び付けられた帯紐に、後から係止具等により取着するタイプのものがある。
【先行技術文献】
【特許文献】
【０００３】
【特許文献１】実用新案登録第３０６００１６号公報
【特許文献２】実用新案登録第３０３１５９２号公報
【考案の開示】
【考案が解決しようとする課題】
【０００４】
ところで人の胴部において、着用された帯の周部上面を周回する帯紐は、通常着用者が前面側において端部同士を結び付けるものとし、結び付けられた端部同士を着用者の背部（背中側）にずらし、位置決めするようにしていた。こうした着物の着用手順は、非常に面倒なものとされ、まず帯紐の端部同士の結合については独特の結び方があり、中々覚えにくいものとされている。また帯紐の端部同士の結び目部分を、着用者の背部にずらす作業についても、経験やコツが必要とされ、帯紐をきちんと帯の上面の周部に位置決めさせるについては、困難を伴うものとされていた。
【０００５】
本考案は、こうした従来の不具合に着目してなされたものであり、従来のように帯紐の端部同士を結ぶことなく、簡単に帯紐の端部同士を結合することを可能とし、着用者において面倒な作業を伴うことなく、帯紐を帯の上面周部に簡単に着用できるようにしたものである。
【課題を解決するための手段】
【０００６】
上記目的を達成するため、本考案の請求項１は、着物を着用する人の胴部を周回する帯の上面を周回し、人の胴部においてその端部同士を結合する帯紐に取着される帯留めにおいて、上記帯紐は帯の上面を周回し、着用する人の胴部前方でその端部同士を結合するものとされ、人の胴部の右側から周回する帯紐の端部、並びに人の胴部の左側から周回する帯紐の端部のそれぞれに対し、上側に平行配置される上側片と、下側に平行配置される下側片を備え、上側片と下側片は人の胴部の右側の端部間を上下に連結する右側連結片と、人の胴部の左側の端部間を上下に連結する左側連結片とでそれぞれ連結され、上側片、下側片、右側連結片、左側連結片とにより構成される基枠体と、平行配置される基枠体の上側片と下側片における中心長さ位置よりも人の胴部右側に配設され、右側連結片に対向配置する状態で該右側連結片に対して近接または離隔可能に上側片にその上部を、下側片にその下部を支持する右側スライド片と、平行配置される基枠体の上側片と下側片における中心長さ位置よりも人の胴部左側に配設され、左側連結片に対向配置する状態で該左側連結片に対して近接または離隔可能に上側片にその上部を、下側片にその下部を支持する左側スライド片と、を備え、人の胴部の右側から周回する帯紐の端部を該基枠体の右側スライド片に掛け回し、さらに右側スライド片と右側連結片の間に挿通して、該挿通された帯紐の端部を基枠体の右側スライド片と右側連結片の間で右側スライド片を右側連結片に近接させるようにして挟み、結合可能とし、また人の胴部の左側から周回する帯紐の端部を該基枠体の左側スライド片に掛け回し、さらに左側スライド片と左側連結片の間に挿通して、該挿通された帯紐の端部を基枠体の左側スライド片と左側連結片の間で左側スライド片を左側スライド片に近接させるようにして挟み、結合可能としてなる帯留めとしている。
【０００７】
また請求項２に係る考案は、右側スライド片は、その上部を上側片の下面に形成される長溝に沿ってスライド可能に支持され、またその下部を下側片の上面に形成される長溝に沿ってスライド可能に支持され、一方左側スライド片は、その上部を上側片の下面に形成される長溝に沿ってスライド可能に支持され、またその下部を下側片の上面に形成される長溝に沿ってスライド可能に支持されるものである請求項１に記載の帯留めとしている。
【０００８】
また請求項３に係る考案は、基枠体には装飾体が取着可能とされる請求項１に記載の帯留めとしている。
【０００９】
また請求項４に係る考案は、右側スライド片は右側連結片に常時近接する方向に付勢されるよう上側片の下面に形成される右側スライド片の上部を支持する対応する長溝内には、右側スライド片の上部を右側連結片に近接させる方向に付勢させるスプリングを、下側片の上面に形成される右側スライド片の下部を支持する対応する長溝内には、右側スライド片の下部を右側連結片に近接させる方向に付勢させるスプリングを備えることとし、また左側スライド片は左側連結片に常時近接する方向に付勢されるよう上側片の下面に形成される左側スライド片の上部を支持する対応する長溝内には、左側スライド片の上部を左側連結片に近接する方向に付勢させるスプリングを、下側片の上面に形成される左側スライド片の下部を支持する対応する長溝内には、左側スライド片の下部を左側連結片に近接する方向に付勢させるスプリングを備えることとしてなる請求項２に記載の帯留めとしている。
【考案の効果】
【００１０】
本考案によれば、着物を着用する人の胴部を周回する帯の上面を周回し、人の胴部においてその端部同士を結合する帯紐において、人の胴部の右側から周回する帯紐の端部を帯留めにおける基枠体の右側スライド片に掛け回し、さらに右側スライド片と右側連結片の間に挿通して、該挿通された帯紐の端部を基枠体の右側スライド片と右側連結片の間で右側スライド片を右側連結片に近接させるようにして挟み、結合し、また人の胴部の左側から周回する帯紐の端部を帯留めにおける基枠体の左側スライド片に掛け回し、さらに左側スライド片と左側連結片の間に挿通して、該挿通された帯紐の端部を基枠体の左側スライド片と左側連結片の間で左側スライド片を左側スライド片に近接させるようにして挟み、結合することができる。この結果、従来のように帯紐の端部同士を結ぶことなく、簡単に帯紐の端部同士を結合することを可能とし、着用者において面倒な作業を伴うことなく、帯紐を帯の上面周部に簡単に着用できるようにしている。
【図面の簡単な説明】
【００１１】
【図１】本考案の実施形態に係る帯留めにより、帯紐の端部同士を結合する状態を示す斜視図である。
【図２】帯の上面を周回し、帯留めにより帯紐の端部同士を結合する状態を示す斜視図である。
【図３】図１に示す帯留めの斜視図である。
【図４】帯留めの分解状態を示す斜視図である。
【図５】図１のＶ−Ｖ線に沿う断面図である。
【図６】帯紐を緩め、帯留めから帯紐の端部を離脱させる状態を示す断面図である。
【図７】図３のＶII−ＶII線に沿い、帯留めの変形例を示す断面図である。
【考案を実施するための形態】
【００１２】
以下、本考案の実施形態を図１ないし図６に基づいて説明する。実施形態に係る帯留め１は、図２に示すように着物を着用する人の胴部を周回する帯２の上面を周回し、人の胴部においてその端部３Ａ、３Ｂ同士を結合する帯紐３に取着されるものである。
【００１３】
すなわち、この帯留め１は、人の胴部の前方における帯２の前方部に位置され、帯２の上面を周回し、着用する人の胴部前方で帯紐３の端部３Ａ、３Ｂ同士を結合するものである。
【００１４】
帯留め１は、帯２の上面において、人の胴部の着用する人から観て右側から周回する帯紐３の端部３Ａ、並びに左側から周回する帯紐３の端部３Ｂのそれぞれに対し、上側に平行配置される上側片４と、下側に平行配置される下側片５を備えてなる。上側片４と下側片５は、実施形態において金、プラチナなど貴金属製の材質のものが採用され、図１の矢印Ａ方向から観る平面視方向において、弓形に曲折された形状とされる。
【００１５】
上側片４と下側片５は、着物を着用する人の胴部の右側端部間を上下に連結する右側連結片６と、着物を着用する人の胴部の左側端部間を上下に連結する左側連結片７とで、それぞれ上下に連結され、上側片４、下側片５、右側連結片６、左側連結片７とにより基枠体８を構成するようにしている（図３参照）。右側連結片６と左側連結片７のそれぞれは、上下に連結ネジ９を備える全体丸棒状のものとされ、上側片４の下面および下側片５の上面の所定の位置に穿設されたネジ孔１０に連結ネジ９を螺合することにより組立てられる（図４参照）。右側連結片６および左側連結片７のそれぞれも全体金属製の材料で形成され、表面をローレット加工してなる。
【００１６】
平行配置される基枠体８の上側片４と下側片５における中心長さ位置よりも、着用する人の胴部右側には、右側スライド片１１が支持される（図３参照）。右側スライド片１１は、平行配置される上側片４と下側片５間において、右側連結片６に対向配置する状態で該右側連結片６に対して近接または離隔可能に上側片４にその上部を、下側片５にその下部をそれぞれスライド可能に支持させるようにしている。
【００１７】
一方、平行配置される基枠体８の上側片４と下側片５における中心長さ位置よりも、着用する人の胴部左側には、左側スライド片１２が支持される（図３参照）。左側スライド片１２には、平行配置される上側片４と下側片５間において、左側連結片７に対向配置する状態で該左側連結片７に対して近接または離隔可能に上側片４にその上部を、下側片５にその下部をそれぞれスライド可能に支持させるようにしている。
【００１８】
右側スライド片１１と左側スライド片１２のそれぞれは、上下に連結ピン１３を備える全体丸棒状のものとされ、上側片４の下面および下側片５の上面の所定の位置に、上側片４と下側片５の長手方向に沿って形成される各長溝１４に対応する連結ピン１３を遊止させ、支持させるようにしている。この結果、右側スライド片１１は対応する上下の長溝１４に案内させる状態で上下の連結ピン１３をスライドさせ、右側連結片６に対して近接または離隔させる状態でスライドさせることが可能となり、また左側スライド片１２も対応する上下の長溝１４に案内させる状態で上下の連結ピン１３をスライドさせ、左側連結片７に対して近接または離隔させる状態でスライドさせることが可能となる。
【００１９】
右側スライド片１１および左側スライド片１２においても、その表面をローレット加工してなり、こうして形成される帯留め１においては、図１に示すように必要に応じて上側片４にその上部を、下側片５にその下部を支持するようにして装飾体１５を嵌着可能に取着することができる。装飾体１５としては、七宝焼、宝石など様々な装飾が表面に施されたものを採用することが可能とされる。
【００２０】
図３に示すようにして形成される帯留め１は、着用する人の胴部の右側から周回する帯紐３の端部３Ａを、基枠体８の右側スライド片１１に掛け回し、さらに右側スライド片１１と右側連結片６の間に該端部３Ａを挿通して、該挿通された帯紐３の端部３Ａを、基枠体８の右側スライド片１１と右側連結片６の間で右側スライド片１１を右側連結片６に近接させるようにして挟み、結合させるようにしている（図１および図５参照）。
【００２１】
また帯留め１は、人の胴部の左側から周回する帯紐３の端部３Ｂを、基枠体８の左側スライド片１２に掛け回し、さらに左側スライド片１２と左側連結片７の間に該端部３Ｂを挿通して、該挿通された帯紐３の端部３Ｂを、基枠体８の左側スライド片１２と左側連結片７の間で左側スライド片１２を左側連結片７に近接させるようにして挟み、結合させるようにしている（図１および図５参照）。
【００２２】
すなわち、帯紐３の右側の端部３Ａは、図５に示すように右側スライド片１１に掛け回し、さらに右側スライド片１１と右側連結片６の間に挿通して矢印Ａ１方向に引っ張ることで右側スライド片１１が右側連結片６に対して近接し、右側スライド片１１と右側連結片６との間で挟持させるようにして帯留め１に結合させることが可能となる。
【００２３】
また帯紐３の左側の端部３Ｂは、図５に示すように左側スライド片１２に掛け回し、さらに左側スライド片１２と右側連結片７の間に挿通して矢印Ａ２方向に引っ張ることで左側スライド片１２が左側連結片７に対して近接し、左側スライド片１２と左側連結片７との間で挟持させるようにして帯留め１に結合させることが可能となる。
【００２４】
こうした帯紐３の帯留め１に対する結合を解除する場合、例えば帯２を着用する人が腹部を矢印Ｃ方向に引っ込める等の帯２の操作で帯紐３の右側の端部３Ａを矢印Ｂ１方向に退動させ、また帯紐３の左側の端部３Ｂを矢印Ｂ２方向に退動させるようにする。こうすることで、右側スライド片１１を右側連結片６に対して離隔する方向にスライドさせ、また左側スライド片１２を左側連結片７に対して離隔する方向にスライドさせ、右側スライド片１１に対する帯紐３の右側の端部３Ａの掛け回しを解除し、さらに左側スライド片１２に対する帯紐３の左側の端部３Ｂの掛け回しを解除して帯留め１に対する帯紐３の各端部３Ａ、３Ｂの結合を解除させることが可能となる。
【００２５】
本考案に係る帯留め１によれば、着物を着用する人の胴部を周回する帯２の上面を周回し、人の胴部においてその端部３Ａ、３Ｂ同士を結合する帯紐３において、人の胴部の右側から周回する帯紐３の端部３Ａを、基枠体８の右側スライド片１１に掛け回し、さらに右側スライド片１１と右側連結片６の間に該端部３Ａを挿通して、該挿通された帯紐３の端部３Ａを、基枠体８の右側スライド片１１と右側連結片６の間で右側スライド片１１を右側連結片６に近接させるようにして挟み、結合させることが可能となる。また、帯留め１は、人の胴部の左側から周回する帯紐３の端部３Ｂを、基枠体８の左側スライド片１２に掛け回し、さらに左側スライド片１２と左側連結片７の間に該端部３Ｂを挿通して、該挿通された帯紐３の端部３Ｂを、基枠体８の左側スライド片１２と左側連結片７の間で左側スライド片１２を左側連結片７に近接させるようにして挟み、結合させることが可能となる。この結果、従来のように帯紐３の端部３Ａ、３Ｂ同士を結ぶ難しい作業を伴うことなく、簡単に帯紐３の端部３Ａ、３Ｂ同士を結合することを可能とし、着用者において面倒な作業を伴うことなく、帯紐３を帯２の上面周部に簡単に着用することが可能となる。
【００２６】
また様々なデザインからなる装飾体１５を基枠体８に交換可能に取着することができるため、帯留め１の利便性を高めることが可能となる。
【００２７】
図７は上記実施形態に係る帯留め１の変形例の帯留め１Ａに係り、図３のＶII−ＶII線に沿う断面図に相当する。この変形例に係る帯留め１Ａは、右側スライド片１１が右側連結片６に常時近接する方向（図７矢印Ｄ１方向）に付勢されるよう上側片４の下面に形成される長溝１４内に圧縮スプリング１６Ａを、下側片５の上面に形成させる長溝１４内に圧縮スプリング１６Ｂを配設している。すなわち、圧縮スプリング１６Ａは右側スライド片１１の上部に備えられる連結ピン１３にその左端部を結合し、また圧縮スプリング１６Ｂは右側スライド片１１の下部に備えられる連結ピン１３にその左側端部を結合する状態とされ、各スプリング１６Ａ、１６Ｂの伸縮力により、上部を上側片４の対応する長溝１４に支持し、下部を下側片５の対応する長溝１４に支持させてなる右側スライド片１１を右側連結片６に常時近接する方向（図７矢印Ｄ１方向）に付勢させることを可能にしている。
【００２８】
また、帯留め１Ａは、左側スライド片１２が左側連結片７に常時近接する方向（図７矢印Ｄ２方向）に付勢されるよう上側片４の下面に形成される長溝１４内に圧縮スプリング１７Ａを、下側片５の上面に形成させる長溝１４内に圧縮スプリング１７Ｂを配設している。すなわち、圧縮スプリング１７Ａは左側スライド片１２の上部に備えられる連結ピン１３にその右端部を結合し、また圧縮スプリング１７Ｂは左側スライド片１２の下部に備えられる連結ピン１３にその右側端部を結合する状態とされ、各スプリング１７Ａ、１７Ｂの伸縮力により、上部を上側片４の対応する長溝１４に支持し、下部を下側片５の対応する長溝１４に支持させてなる左側スライド片１２を左側連結片７に常時近接する方向（図７矢印Ｄ２方向）に付勢させることを可能にしている。
【００２９】
このようにして形成される帯留め１Ａによれば、上記実施形態に係る帯留め１と同様に着用する人の胴部の右側から周回する帯紐３の端部３Ａを、基枠体８の右側スライド片１１に掛け回し、さらに右側スライド片１１と右側連結片６の間に該端部３Ａを挿通して、該挿通された帯紐３の端部３Ａを、基枠体８の右側スライド片１１と右側連結片６の間で右側スライド片１１を右側連結片６に近接させるようにして挟み、結合させることが可能となる。また人の胴部の左側から周回する帯紐３の端部３Ｂを、基枠体８の左側スライド片１２に掛け回し、さらに左側スライド片１２と左側連結片７の間に該端部３Ｂを挿通して、該挿通された帯紐３の端部３Ｂを、基枠体８の左側スライド片１２と左側連結片７の間で左側スライド片１２を左側連結片７に近接させるようにして挟み、結合させることが可能となる。すなわち、この状態において、帯紐３の右側の端部３Ａは、右側スライド片１１が右側連結片６に常時近接する方向に付勢され、右側スライド片１１と右側連結片６との間に挟持させるようにして帯留め１Ａに結合することができるので、より確実な結合が可能となる。
【００３０】
また帯紐３の左側の端部３Ｂについても、左側スライド片１２が左側連結片７に常時近接方向に付勢され、左側スライド片１２と右側連結片７の間に挟持させるようにして帯留め１Ａに結合することができるので、より確実な結合が可能となる。
【産業上の利用可能性】
【００３１】
以上のように、本考案は、比較的初心者が着物を着用する際に使用するのに好適な帯留めとして提供することが可能とされ、着物をより身近なものにすることが期待できる。
【符号の説明】
【００３２】
１、１Ａ    帯留め
２          帯
３          帯紐
３Ａ、３Ｂ  端部
４          上側片
５          下側片
６          右側連結片
７          左側連結片
８          基枠体
９          連結ネジ
１０        ネジ孔
１１        右側スライド片
１２        左側スライド片
１３        連結ピン
１４        長溝
１５        装飾体
１６Ａ、１６Ｂ、１６Ｃ、１６Ｄ  圧縮スプリング
【図１】
0003165338.tif 000003
【図２】
0003165338.tif 000004
【図３】
0003165338.tif 000005
【図４】
0003165338.tif 000006
【図５】
0003165338.tif 000007
【図６】
0003165338.tif 000008
【図７】
0003165338.tif 000009